(57)【特許請求の範囲】
【請求項１】
再生状態の動画ファイルの中から一枚の静止画像データであるフレームデータを抽出するためのフレームデータ抽出手段と、
次のフレームデータに切り換わる前に抽出した前記フレームデータを画像加工処理するための画像加工手段と、
前記画像加工処理に際して、画像加工処理の開始時間と、画像加工処理を施す時間を設定するための画像加工時間設定手段と、
前記画像加工手段によって処理されたフレームデータを、すでに前記画像加工手段によって処理されたフレームデータと繋ぎ合わせて動画ファイルを作成するためのファイル作成手段とを備えたことを特徴とする動画編集システム。
【請求項２】
前記画像加工処理に際して、画像全体に対して画像加工処理を施すのか、あるいは指定した範囲に対して画像加工処理を施すのかを設定するための画像加工範囲設定手段を備えたことを特徴とする請求項１記載の動画編集システム。
【請求項３】
前記画像加工範囲設定手段と前記画像加工時間設定手段とを組み合わせることにより、画像加工範囲を徐々に拡大あるいは縮小することを特徴とする請求項１または２記載の動画編集システム。
【請求項４】
前記フレームデータ抽出手段により抽出された静止画像データ、白一色の画像データ、黒一色の画像データ、および他の静止画像データをメモリ上に一旦保存するための元フレームデータ保存手段と、
前記元フレームデータ保存手段に保存された元画像データと、前記画像加工処理手段で加工処理された画像データとを、指定した合成比率で合成するための画像合成手段とを備えたことを特徴とする請求項１〜３のうちのいずれか１項記載の動画編集システム。
【請求項５】
前記画像合成手段と前記画像加工時間設定手段とを組み合わせることにより、画像全体に対して一度に画像加工を施さずに、前記画像合成手段において元画像と加工画像との合成比率を徐々に変化させることを特徴とする請求項１〜４のうちのいずれか１項記載の動画編集システム。
【発明の詳細な説明】
【０００１】
【発明の属する技術分野】
本発明は、コンピュータを用いて動画ファイルを加工編集するための動画編集システムに関する。
【０００２】
【従来の技術】
従来から、動画編集システムについて様々なシステムが提案されている。
例えば、第１のシステムとして、図５に示すように、静止画像の集まりで構成されている動画ファイルに対して、その構成要素である静止画像を一枚一枚抽出し、全ての静止画像の抽出が完了した時点で、抽出した静止画像一枚一枚に対して加工処理を施した後に、各静止画像を繋ぎ合わせて動画ファイルにするシステムが提案されている。
【０００３】
また、第２のシステムとして、図６に示すように、編集対象となる動画ファイルの前部あるいは後部に対して、予め用意しておいたコンテンツの動画ファイルを単純に繋ぎ合わせるシステムが提案されている。
【０００４】
また、第３のシステムとして、図７に示すように、編集対象となる動画ファイルを、加工が必要な動画部分と加工が必要でない動画部分とに分割し、加工が必要な動画部分に対して静止画像を一枚一枚抽出し、全ての静止画像の抽出が完了した時点で、抽出した静止画像一枚一枚に対して加工処理を施した後に、動画ファイルにする。最後に、加工が必要でない動画部分と、加工処理した動画部分を繋ぎ合わせるシステムが提案されている。
【０００５】
【発明が解決しようとする課題】
しかしながら、上述した第１のシステムでは、編集対象となる動画ファイルから、一旦その構成要素である全ての静止画を抽出した後に、抽出した静止画一枚一枚に対し加工を施し、加工が完了した時点で、加工した静止画を繋ぎ合わせて編集後の動画ファイルを作成していることから、動画ファイルの編集に長時間を要するという問題があった。
【０００６】
また、上述した第２のシステムでは、予め用意されたコンテンツを編集対象の動画ファイルの前部や後部に単純に繋ぎ合わせることから、特殊効果を施したり、映像の切り換わり部分に対して種々の効果を施す等の加工を行うことができず、編集後の動画ファイルも代わり映えのしないものになってしまう。
【０００７】
また、上述した第３のシステムでは、加工を施す動画部分を分割し、この分割部分から静止画ファイルを抽出し、抽出した静止画一枚一枚に対して加工処理を施し、これらの静止画を繋ぎ合わせて動画とし、さらに、加工を施さない動画部分と繋ぎ合わせている。このため、上述した第１のシステムと同様に、編集処理に長時間を要するという問題があった。さらに、動画ファイルを予め加工する部分と加工しない部分に分割してから加工処理している点で、加工時間にも長時間を要するという問題があった。
【０００８】
本発明は、上述した問題点に鑑み提案されたもので、動画ファイルに対する編集を簡単に行うことができるとともに、編集処理時間を短縮することが可能な動画編集システムを提供することを目的とする。
【０００９】
【課題を解決するための手段】
本発明に係る動画編集システムは、再生状態の動画ファイルの中から一枚の静止画像データであるフレームデータを抽出するためのフレームデータ抽出手段と、次のフレームデータに切り換わる前に抽出した前記フレームデータを画像加工処理するための画像加工手段と、前記画像加工処理に際して、画像加工処理の開始時間と、画像加工処理を施す時間を設定するための画像加工時間設定手段と、前記画像加工手段によって処理されたフレームデータを、すでに前記画像加工手段によって処理されたフレームデータと繋ぎ合わせて動画ファイルを作成するためのファイル作成手段とを備えたことを特徴とするものである。
【００１０】
また、前記動画編集システムにおいて、前記画像加工処理に際して、画像全体に対して画像加工処理を施すのか、あるいは指定した範囲に対して画像加工処理を施すのかを設定するための画像加工範囲設定手段を備えて構成する。
【００１１】
また、前記動画編集システムにおいて、前記画像加工範囲設定手段と前記画像加工時間設定手段とを組み合わせることにより、画像加工範囲を徐々に拡大あるいは縮小するように構成する。
【００１２】
また、前記動画編集システムにおいて、前記フレームデータ抽出手段により抽出された静止画像データ、白一色の画像データ、黒一色の画像データ、および他の静止画像データをメモリ上に一旦保存するための元フレームデータ保存手段と、前記元フレームデータ保存手段に保存された元画像データと、前記画像加工処理手段で加工処理された画像データとを、指定した合成比率で合成するための画像合成手段とを備えて構成する。
【００１３】
また、前記動画編集システムにおいて、前記画像合成手段と前記画像加工時間設定手段とを組み合わせることにより、画像全体に対して一度に画像加工を施さずに、前記画像合成手段において元画像と加工画像との合成比率を徐々に変化させるように構成する。
なお、前記各手段は、コンピュータを所定のプログラムに従って動作させることにより実現されるものである。
【００１４】
【発明の実施の形態】
以下、図１〜４に基づいて、本発明に係る動画編集システムの実施形態を説明する。
【００１５】
図１は、本発明の実施形態に係る動画編集システムの概略構成を示すブロック図である。
本発明の実施形態に係る動画編集システムは、図１に示すように、静止画の集まりである動画ファイルを再生するための動画ファイル再生処理手段１０と、動画ファイル再生処理手段１０により動画ファイルを再生中に、動画ファイルの構成要素である静止画ファイルを抽出するための静止画データ抽出手段１１と、静止画データ抽出手段１１により抽出した静止画像に対して、次の再生画像に切り換わる前に加工処理を施すための静止画加工処理手段１２と、静止画加工処理手段１２により加工処理が施された静止画データと、既に加工処理が施された静止画データとを繋ぎ合わせて動画ファイルとするための動画ファイル作成処理手段１３と、画像加工開始時間、画像加工処理を施す時間、加工効果、元画像、黒一色の画像データ、白一色の画像データ、他の画像との合成の有無および合成比率等のように、静止画像に加工を施す上で必要となるパラメータを設定するための静止画加工パラメータ設定処理手段１４とを備えている。
【００１６】
静止画加工パラメータ設定処理手段１４により設定されるパラメータは、編集対象の動画ファイルが再生される前に、予め静止画加工処理手段１２に対してリスト形式で渡されており、静止画加工処理手段１２は、このリストに従って抽出された静止画に対して加工処理を施す。
【００１７】
図２は、本実施形態に係る動画編集システムにおける処理の流れを説明するための説明図である。
本実施形態に係る動画編集システムでは、図２に示すように、まず、編集対象の動画ファイルから再生中の静止画を抽出する。続いて、抽出した静止画を、次の再生画像に切り換わる前に加工し、加工した静止画を動画ファイルとして保存する。そして、次の静止画像が抽出されたら、抽出した静止画を加工し、保存するという一連の処理を、編集対象の動画ファイルの最後まで繰り返し行う。
【００１８】
図３は、静止画加工処理手段１２において、抽出された静止画像に対して加工を施す処理を説明するためのブロック図である。
抽出された静止画像に対して加工を施すには、図３に示すように、静止画加工パラメータ設定処理手段１４（図１参照）により、予め設定されたリスト（以下、リスト）を解析し、加工画像と合成するパラメータが設定されている場合には、元画像保存処理手段３０により、指定された合成画像データ（元画像データ、黒一色の画像データ、白一色の画像データ、他の画像データ）は、一旦メモリー上に保存される。
【００１９】
加工開始処理時間及び、加工処理実行時間判断処理手段３１では、現在の時間（現在再生している動画ファイルの位置）が、リストに設定されているか否かを判断する。ここで、リストに設定されている場合には、静止画像加工処理手段３２に処理を移行する。一方、リストに設定されていない場合には、何も処理せずにそのまま、動画ファイル作成処理手段１３（図１参照）に対して、入力された静止画像を引き渡す。
【００２０】
静止画像加工処理手段３２では、リストに設定された加工の効果および画像加工を施す範囲に従って静止画像を加工し、合成処理手段３３に処理を移行する。
合成処理手段３３では、合成を行うべきパラメータがリストに設定されている場合にのみ、リストに設定されたパラメータに従って合成処理を行い、動画ファイル作成処理手段１３（図１参照）に対して、入力された静止画像を渡す。ここで、リストには、パラメータとして、元画像データ、黒一色の画像データ、白一色の画像データ、別の画像データのうちのいずれの画像と合成を行うのか、および合成比率が設定されており、このパラメータに従って、合成処理手段３３における合成処理が行われる。
【００２１】
図４は、静止画加工パラメータ設定処理手段１４により、静止画加工処理手段１２に渡されるリストの内容を示す説明図である。
図４に示すように、編集対象の動画ファイルの再生開始（０ｍｓ）から１０００ｍｓの間は、リスト上に設定されていないので、静止画加工処理手段１２は、何も処理せずに、入力された静止画像をそのまま次の処理を行う動画ファイル作成処理手段１３に引き渡している。
【００２２】
次の１０００ｍｓから２０００ｍｓ間は、画像全体に対して白黒加工を施し、加工した画像を次の処理を行う動画ファイル作成処理手段１３に引き渡している。
次の２０００ｍｓから４０００ｍｓ間は、リスト上設定されていないので、静止画加工処理手段１２は、何も処理せずに、入力された静止画像をそのまま次の処理を行う動画ファイル作成処理手段１３に引き渡している。
次の４０００ｍｓから４８００ｍｓ間は、２００ｍｓ毎に、セピア効果を施した画像と元画像を、合成比率を２０％毎に変化させているため、元画像から徐々にセピア加工された画像に変化する。その後、さらに７０００ｍｓの間は、セピア効果を画面全体に施している。
【００２３】
次の７０００ｍｓから８０００ｍｓ間は、リスト上設定されていないので、静止画加工処理手段１２は、何も処理せずに、入力された静止画像をそのまま次の処理を行う動画ファイル作成処理手段１３に引き渡している。
次の８０００ｍｓから９０００ｍｓ間は、２００ｍｓ毎に、ネガポジ反転効果を施し、加工範囲を２０％毎に変化させているため、ネガポジ反転効果を施す画面中央の矩形部分の大きさが徐々に広がっていく。
【００２４】
このように、静止画加工処理手段１２は、静止画加工パラメータ設定処理手段１４により設定されたリストに従って加工処理を施している。このような処理の結果により、編集対象の動画ファイルを再生しながら、再生中の静止画ファイルを抽出するとともに加工を施し、動画ファイルとして保存するという一連の処理を高速に行うことができる。
【００２５】
【発明の効果】
本発明に係る動画編集システムによれば、動画ファイルを再生しながら、一度の処理で加工後の動画ファイルを作成することが可能となる。
【００２６】
また、本発明に係る動画編集システムによれば、単に画像全体に対して加工を施すだけでなく、予め設定した画像の範囲に対して加工を施すことが可能となる。
【００２７】
また、本発明に係る動画編集システムによれば、一気に画像全体あるいは画像の指定した範囲に加工を施すだけでなく、加工する画像の範囲を時間的に変化させることにより、画像加工範囲を徐々に拡大あるいは縮小することが可能となる。
【００２８】
また、本発明に係る動画編集システムによれば、加工処理後の画像データと、予め設定した画像データ（元画像データ、黒一色の画像データ、白一色の画像データ、他の画像データ）とを、予め設定した合成比率で合成することにより、例えば、黒一色や白一色の画像と合成した場合は、加工後の画像の明るさを変化させることが可能となる。
【００２９】
また、本発明に係る動画編集システムによれば、一気に画像全体に対して画像加工を施すだけでなく、指定した画像と加工後の画像の合成比率を時間的に変化させることにより、例えば、指定した画像が元画像の場合には、徐々に元画像が加工画像に変化したり、徐々に加工画像が元画像に変化するといったフェード効果を施すことが可能となる。
【図面の簡単な説明】
【図１】本発明の実施形態に係る動画編集システムの概略構成を示すブロック図である。
【図２】本発明の実施形態に係る動画編集システムにおける処理の流れを説明するための説明図である。
【図３】静止画加工処理手段において、抽出された静止画像に対して加工を施す処理を説明するためのブロック図である。
【図４】静止画加工パラメータ設定処理手段により、静止画加工処理手段に渡されるリストの内容を示す説明図である。
【図５】従来の動画編集システム（第１の例）における処理の手順を示す説明図である。
【図６】従来の動画編集システム（第２の例）における処理の手順を示す説明図である。
【図７】従来の動画編集システム（第３の例）における処理の手順を示す説明図である。
【符号の説明】
１０  動画ファイル再生処理手段
１１  静止画データ抽出手段
１２  静止画加工処理手段
１３  動画ファイル作成処理手段
１４  静止画加工パラメータ設定処理手段
３０  元画像保存処理手段
３１  加工開始処理時間及び、加工処理実行時間判断処理手段
３２  静止画像加工処理手段
３３  合成処理手段
【図１】
0004251803.tif 000002
【図２】
0004251803.tif 000003
【図３】
0004251803.tif 000004
【図４】
0004251803.tif 000005
【図５】
0004251803.tif 000006
【図６】
0004251803.tif 000007
【図７】
0004251803.tif 000008